(57)【要約】【課題】内部の電子部品で発生する熱による局所的な温度上昇を抑制することができる携帯端末機器及び放熱方法の提供。【解決手段】電子部品１４が実装される基板１３の内部に、熱伝導性に優れた銅やアルミニウム、炭素などの部材で形成された１層以上の熱伝導層１７を設け、該熱伝導層１７によって電子部品１４で発生した熱を基板１３の面方向に速やかに拡散させ、基板１３全面からキー１６などの操作手段や筐体に伝達して外部に放熱させる。これにより、大幅なコストアップや携帯通信機の厚みを増すことなく、操作手段や筐体の局所的な温度上昇を抑制して携帯通信機表面の温度を均一にすることができる。また、該構造を用いることにより高性能の電子部品を使用することが可能となり、更に基板の剛性を高めて携帯端末機器の信頼性を向上させることもできる。【選択図】図４
2006173290.tif 000002
【特許請求の範囲】
【請求項１】
少なくとも１つの発熱性の部品が実装される基板を備える携帯端末機器であって、
前記基板の内部に、前記基板の主構成材料よりも熱伝導率が大きい熱伝導性の部材が前記基板の面方向に配設された１層以上の熱伝導層を備え、前記発熱性の部品で発生した熱が前記熱伝導層を介して前記基板全面に拡散されることを特徴とする携帯端末機器。
【請求項２】
前記発熱性の部品が前記基板の一方の面に配置されていることを特徴とする請求項１記載の携帯端末機器。
【請求項３】
前記基板の前記発熱性の部品が配置されている面以外の面に操作手段を更に含み、
前記基板内部の、前記熱伝導層と前記操作手段との間に、前記基板の主構成材料よりも熱伝導率が小さい１層以上の熱伝導抑制層を備えることを特徴とする請求項２記載の携帯端末機器。
【請求項４】
前記熱伝導層と前記発熱性の部品との間に、前記基板の主構成材料よりも熱伝導率が大きい熱伝導性の部材により形成された、前記熱伝導層及び前記発熱性の部品の双方に当接する接続手段を備え、前記接続手段により前記熱伝導層と前記発熱性の部品とが熱的に接続されることを特徴とする請求項１乃至３のいずれか一に記載の携帯端末機器。
【請求項５】
前記発熱性の部品に、該発熱性の部品を実装した状態で前記熱伝導層に当接する放熱用の端子を備え、前記放熱用の端子により前記熱伝導層と前記発熱性の部品とが熱的に接続されることを特徴とする請求項１乃至４のいずれか一に記載の携帯端末機器。
【請求項６】
前記放熱用の端子は、前記発熱性の部品の電気的接続に寄与しない端子であり、前記発熱性の部品の筐体、又は、前記発熱性の部品内部の基板又は構成部品に接続されていることを特徴とする請求項５記載の携帯端末機器。
【請求項７】
前記放熱用の端子は、ＢＧＡ（Ball Grid Array）を構成する半田ボールであることを特徴とする請求項６記載の携帯端末機器。
【請求項８】
前記熱伝導層は、前記基板の法線方向から見て、前記基板の表裏を繋ぐ接続配線が形成される領域を除く前記基板の全面又は一部に形成されていることを特徴とする請求項１乃至７のいずれか一に記載の携帯端末機器。
【請求項９】
前記基板に非耐熱性の部品が実装されており、
前記熱伝導層は、前記基板の法線方向から見て、前記非耐熱性の部品が実装される領域を除く前記基板の全面又は一部に形成されていることを特徴とする請求項１乃至８のいずれか一に記載の携帯端末機器。
【請求項１０】
前記基板は、前記携帯端末機器の筐体に予め設けられた突起部によって固定されており、
前記基板の前記熱伝導層と前記突起部との間の部材が、前記突起部に対応する領域の少なくとも一部において除去され、前記熱伝導層と前記突起部の少なくとも一部とが熱的に接続されていることを特徴とする請求項１乃至９のいずれか一に記載の携帯端末機器。
【請求項１１】
前記基板に他の基板が固定され、
前記他の基板の内部又は表面に、前記他の基板の主構成材料よりも熱伝導率が大きい熱伝導性の部材が前記他の基板の面方向に配設された１層以上の熱伝導層を備え、
前記基板の熱伝導層と前記他の基板の熱伝導層とが接続手段によって熱的に接続され、
前記基板に実装された前記発熱性の部品で発生した熱が、前記接続手段を介して、前記他の基板に伝達されることを特徴とする請求項１乃至１０のいずれか一に記載の携帯端末機器。
【請求項１２】
第１の筐体に保持される前記基板と、第２の筐体に保持される他の基板と、前記基板と前記他の基板とを接続する接続基板とを備え、
前記他の基板の内部又は表面に、前記他の基板の主構成材料よりも熱伝導率が大きい熱伝導性の部材が前記他の基板の面方向に配設された１層以上の熱伝導層を備え、
前記接続基板の内部又は表面に、前記接続基板の主構成材料よりも熱伝導率が大きい熱伝導性の部材が前記接続基板の面方向に配設された１層以上の熱伝導層を備え、
前記基板の熱伝導層及び前記接続基板の熱伝導層と、前記接続基板の熱伝導層及び前記他の基板の熱伝導層とが接続手段によって熱的に接続され、
前記基板に実装された前記発熱性の部品で発生した熱が、前記接続手段及び前記接続基板を介して、前記他の基板に伝達されることを特徴とする請求項１乃至１０のいずれか一に記載の携帯端末機器。
【請求項１３】
前記携帯端末機器は携帯電話機であることを特徴とする請求項１乃至１２のいずれか一に記載の携帯端末機器。
【請求項１４】
前記携帯端末機器は携帯型コンピュータ又は携帯型ゲーム機であることを特徴とする請求項１乃至１２のいずれか一に記載の携帯端末機器。
【請求項１５】
少なくとも１つの発熱性の部品が実装される基板を備える携帯端末機器における放熱方法であって、
前記基板の内部に、前記基板の主構成材料よりも熱伝導率が大きい熱伝導性の部材が前記基板の面方向に配設された１層以上の熱伝導層を設け、前記熱伝導層により前記発熱性の部品で発生した熱を前記基板の面方向に拡散させることを特徴とする放熱方法。
【請求項１６】
前記基板の前記発熱性の部品が配置されている面以外の面に操作手段を更に含む構成において、
前記基板内部の、前記熱伝導層と前記操作手段との間に、前記基板の主構成材料よりも熱伝導率が小さい１層以上の熱伝導抑制層を設け、前記熱伝導抑制層により前記発熱性の部品で発生した熱の前記操作手段への伝達を抑制することを特徴とする請求項１５記載の放熱方法。
【請求項１７】
前記熱伝導層と前記発熱性の部品とを、前記基板の主構成材料よりも熱伝導率が大きい熱伝導性の部材により形成された接続手段で熱的に接続し、前記発熱性の部品で発生した熱を、前記接続手段を介して、前記熱伝導層に伝達することを特徴とする請求項１５又は１６に記載の放熱方法。
【請求項１８】
前記携帯端末機器の筐体に前記基板を固定するための突起部を設け、
前記基板の前記熱伝導層と前記突起部との間の部材を、前記突起部に対応する領域の少なくとも一部において除去して前記熱伝導層と前記突起部とを熱的に接続し、前記発熱性の部品で発生した熱を、前記熱伝導層及び前記突起部を介して、前記筐体に伝達することを特徴とする請求項１５乃至１７のいずれか一に記載の放熱方法。
【請求項１９】
前記基板に固定される他の基板の内部又は表面に、前記他の基板の主構成材料よりも熱伝導率が大きい熱伝導性の部材が前記他の基板の面方向に配設された１層以上の熱伝導層を設け、
前記基板の熱伝導層と前記他の基板の熱伝導層とを接続手段によって熱的に接続し、
前記基板に実装された前記発熱性の部品で発生した熱を、前記接続手段を介して、前記他の基板に伝達することを特徴とする請求項１５乃至１８のいずれか一に記載の放熱方法。
【請求項２０】
第１の筐体に保持される前記基板と、第２の筐体に保持される他の基板と、前記基板と前記他の基板とを接続する接続基板とを備える構成において、
前記他の基板の内部又は表面に、前記他の基板の主構成材料よりも熱伝導率が大きい熱伝導性の部材が前記他の基板の面方向に配設された１層以上の熱伝導層を設け、
前記接続基板の内部又は表面に、前記接続基板の主構成材料よりも熱伝導率が大きい熱伝導性の部材が前記接続基板の面方向に配設された１層以上の熱伝導層を設け、
前記基板の熱伝導層及び前記接続基板の熱伝導層と、前記接続基板の熱伝導層及び前記他の基板の熱伝導層とを接続手段によって熱的に接続し、
前記基板に実装された前記発熱性の部品で発生した熱を、前記接続手段及び前記接続基板を介して、前記他の基板に伝達することを特徴とする請求項１５乃至１９のいずれか一に記載の放熱方法。
【発明の詳細な説明】
【技術分野】
【０００１】
本発明は、携帯端末機器及び放熱方法に関し、特に、発熱する電子部品が基板上に実装される携帯端末機器における該基板の構造及び該基板を用いた放熱方法に関する。
【背景技術】
【０００２】
携帯電話機に代表される携帯端末機器は、音声による通信機能やメール送受信機能に加えて、ＴＶ電話機能、写真撮影機能、ＴＶ放送受信機能などの様々な機能が付加されており、これらの機能を実現するために処理能力の向上が図られている。そして、携帯端末機器の高機能化および高性能化に伴って、携帯端末機器の内部に実装される電子部品の消費電力が増加し、その結果、携帯端末機器の温度上昇が問題となっている。
【０００３】
このような温度上昇を防ぐために、パーソナルコンピュータなどの電子機器では、発熱量の多い電子部品の表面に放熱用の金属製ヒートシンクやファンなどを取り付けて筐体内部の熱を外部に放熱するなどの処置を行っている。また、特開平１１−９５８７１号公報には、携帯用パソコンの筐体の剛性を高めるためのリブに熱伝導性薄膜を設け、発熱部品に接着された放熱板とリブの熱伝導性薄膜とを接触させることにより、発熱部品から生じる熱を筐体に効率よく拡散させる電子機器の放熱構造が開示されている。
【０００４】
【特許文献１】特開平１１−９５８７１号公報（第３−４頁、第２図）
【発明の開示】
【発明が解決しようとする課題】
【０００５】
しかしながら、近年の携帯端末機器は更なる小型化、薄型化が求められていることから、スペース的な制約でパーソナルコンピュータのような放熱構造を設けることは難しい。従って、携帯端末機器では電子部品で発生した熱を筐体に伝達し、筐体から外部に放熱する必要があるが、携帯端末機器の筐体の表面積は小さく、十分な放熱効率が得られないために、電子部品の発熱量が大きいと筐体の温度が上昇してしまう。
【０００６】
また、携帯端末機器は薄くする必要があるために電子部品と筐体との間隔を広くすることができず、電子部品で発生した熱が筐体表面へ即座に伝達してしまい、その結果、筐体表面の温度が局所的に上昇してしまうという問題があった。
【０００７】
特に、ユーザが操作するキーなどの操作手段やその近傍の筐体の温度が上昇すると操作時に不快感を与えてしまうことから、電子部品で発生する熱を効果的に放熱することができる携帯端末機器の提案が望まれている。
【０００８】
本発明は、上記問題点に鑑みてなされたものであって、その主たる目的は、内部の電子部品で発生する熱による局所的な温度上昇を抑制することができる携帯端末機器及び放熱方法を提供することにある。
【課題を解決するための手段】
【０００９】
上記目的を達成するために、本発明の携帯端末機器は、少なくとも１つの発熱性の部品が実装される基板を備える携帯端末機器であって、前記基板の内部に、前記基板の主構成材料よりも熱伝導率が大きい熱伝導性の部材が前記基板の面方向に配設された１層以上の熱伝導層を備え、前記発熱性の部品で発生した熱が前記熱伝導層を介して前記基板全面に拡散されるものである。
【００１０】
本発明においては、前記発熱性の部品が前記基板の一方の面に配置されている構成とすることができる。
【００１１】
また、本発明においては、前記基板の前記発熱性の部品が配置されている面以外の面に操作手段を更に含み、前記基板内部の、前記熱伝導層と前記操作手段との間に、前記基板の主構成材料よりも熱伝導率が小さい１層以上の熱伝導抑制層を備える構成とすることができる。
【００１２】
また、本発明においては、前記熱伝導層と前記発熱性の部品との間に、前記基板の主構成材料よりも熱伝導率が大きい熱伝導性の部材により形成された、前記熱伝導層及び前記発熱性の部品の双方に当接する接続手段を備え、前記接続手段により前記熱伝導層と前記発熱性の部品とが熱的に接続される構成とすることができる。
【００１３】
また、本発明においては、前記発熱性の部品に、該発熱性の部品を実装した状態で前記熱伝導層に当接する放熱用の端子を備え、前記放熱用の端子により前記熱伝導層と前記発熱性の部品とが熱的に接続される構成とすることができ、前記放熱用の端子は、前記発熱性の部品の電気的接続に寄与しない端子であり、前記発熱性の部品の筐体、又は、前記発熱性の部品内部の基板又は構成部品に接続されていることが好ましく、前記放熱用の端子は、ＢＧＡ（Ball Grid Array）を構成する半田ボールとすることができる。
【００１４】
また、本発明においては、前記熱伝導層は、前記基板の法線方向から見て、前記基板の表裏を繋ぐ接続配線が形成される領域を除く前記基板の全面又は一部に形成されている構成とすることもできる。
【００１５】
また、本発明においては、前記基板に非耐熱性の部品が実装されており、前記熱伝導層は、前記基板の法線方向から見て、前記非耐熱性の部品が実装される領域を除く前記基板の全面又は一部に形成されている構成とすることもできる。
【００１６】
また、本発明においては、前記基板は、前記携帯端末機器の筐体に予め設けられた突起部によって固定されており、前記基板の前記熱伝導層と前記突起部との間の部材が、前記突起部に対応する領域の少なくとも一部において除去され、前記熱伝導層と前記突起部の少なくとも一部とが熱的に接続されている構成とすることもできる。
【００１７】
また、本発明においては、前記基板に他の基板が固定され、前記他の基板の内部又は表面に、前記他の基板の主構成材料よりも熱伝導率が大きい熱伝導性の部材が前記他の基板の面方向に配設された１層以上の熱伝導層を備え、前記基板の熱伝導層と前記他の基板の熱伝導層とが接続手段によって熱的に接続され、前記基板に実装された前記発熱性の部品で発生した熱が、前記接続手段を介して、前記他の基板に伝達される構成とすることもできる。
【００１８】
また、本発明においては、第１の筐体に保持される前記基板と、第２の筐体に保持される他の基板と、前記基板と前記他の基板とを接続する接続基板とを備え、前記他の基板の内部又は表面に、前記他の基板の主構成材料よりも熱伝導率が大きい熱伝導性の部材が前記他の基板の面方向に配設された１層以上の熱伝導層を備え、前記接続基板の内部又は表面に、前記接続基板の主構成材料よりも熱伝導率が大きい熱伝導性の部材が前記接続基板の面方向に配設された１層以上の熱伝導層を備え、前記基板の熱伝導層及び前記接続基板の熱伝導層と、前記接続基板の熱伝導層及び前記他の基板の熱伝導層とが接続手段によって熱的に接続され、前記基板に実装された前記発熱性の部品で発生した熱が、前記接続手段及び前記接続基板を介して、前記他の基板に伝達される構成とすることもできる。
【００１９】
また、本発明においては、前記携帯端末機器は携帯電話機又は携帯型コンピュータ、携帯型ゲーム機とすることが好ましい。
【００２０】
また、本発明の放熱方法は、少なくとも１つの発熱性の部品が実装される基板を備える携帯端末機器における放熱方法であって、前記基板の内部に、前記基板の主構成材料よりも熱伝導率が大きい熱伝導性の部材が前記基板の面方向に配設された１層以上の熱伝導層を設け、前記熱伝導層により前記発熱性の部品で発生した熱を前記基板の面方向に拡散させるものである。
【００２１】
本発明においては、前記基板の前記発熱性の部品が配置されている面以外の面に操作手段を更に含む構成において、前記基板内部の、前記熱伝導層と前記操作手段との間に、前記基板の主構成材料よりも熱伝導率が小さい１層以上の熱伝導抑制層を設け、前記熱伝導抑制層により前記発熱性の部品で発生した熱の前記操作手段への伝達を抑制する構成とすることができる。
【００２２】
また、本発明においては、前記熱伝導層と前記発熱性の部品とを、前記基板の主構成材料よりも熱伝導率が大きい熱伝導性の部材により形成された接続手段で熱的に接続し、前記発熱性の部品で発生した熱を、前記接続手段を介して、前記熱伝導層に伝達する構成とすることもできる。
【００２３】
また、本発明においては、前記携帯端末機器の筐体に前記基板を固定するための突起部を設け、前記基板の前記熱伝導層と前記突起部との間の部材を、前記突起部に対応する領域の少なくとも一部において除去して前記熱伝導層と前記突起部とを熱的に接続し、前記発熱性の部品で発生した熱を、前記熱伝導層及び前記突起部を介して、前記筐体に伝達する構成とすることもできる。
【００２４】
また、本発明においては、前記基板に固定される他の基板の内部又は表面に、前記他の基板の主構成材料よりも熱伝導率が大きい熱伝導性の部材が前記他の基板の面方向に配設された１層以上の熱伝導層を設け、前記基板の熱伝導層と前記他の基板の熱伝導層とを接続手段によって熱的に接続し、前記基板に実装された前記発熱性の部品で発生した熱を、前記接続手段を介して、前記他の基板に伝達する構成とすることもできる。
【００２５】
また、本発明においては、第１の筐体に保持される前記基板と、第２の筐体に保持される他の基板と、前記基板と前記他の基板とを接続する接続基板とを備える構成において、前記他の基板の内部又は表面に、前記他の基板の主構成材料よりも熱伝導率が大きい熱伝導性の部材が前記他の基板の面方向に配設された１層以上の熱伝導層を設け、前記接続基板の内部又は表面に、前記接続基板の主構成材料よりも熱伝導率が大きい熱伝導性の部材が前記接続基板の面方向に配設された１層以上の熱伝導層を設け、前記基板の熱伝導層及び前記接続基板の熱伝導層と、前記接続基板の熱伝導層及び前記他の基板の熱伝導層とを接続手段によって熱的に接続し、前記基板に実装された前記発熱性の部品で発生した熱を、前記接続手段及び前記接続基板を介して、前記他の基板に伝達する構成とすることもできる。
【００２６】
このように、本発明の構成によれば、電子部品で発生した熱は該電子部品が実装されている基板に配設された１層以上の熱伝導層によって基板の面方向に拡散され、基板全面からキーなどの操作手段や筐体全体、更には該基板に接続される他の基板や他の基板に実装される部品、他の基板を格納する他の筐体などに伝達されて外部に放熱されるため、操作手段や筐体の温度が局所的に上昇することがなく、効率的に放熱することができる。そして、このような簡単な放熱構造を用いることによって、大幅なコストアップ等を招くことなく、また、携帯端末機器の厚みを増すことなく、局所的な温度上昇による操作時の不快感を解消することができる。
【発明の効果】
【００２７】
以上説明したように、本発明の携帯端末機器及び放熱方法によれば、下記記載の効果を奏する。
【００２８】
本発明の第１の効果は、電子部品で発生する熱によるキーなどの操作手段や筐体の局所的な温度上昇を抑制し、携帯端末機器表面の温度を均一にすることができるということである。その理由は、電子部品で発生した熱は該電子部品が実装されている基板に配設された１層以上の熱伝導層によって基板の面方向に拡散され、基板全面から操作手段や筐体全体、該基板に接続される他の基板や他の基板に実装される部品、他の基板を格納する他の筐体などに伝達されて外部に放熱されるからである。
【００２９】
また、本発明の第２の効果は、大幅なコストアップ等を招くことなく、また、携帯端末機器の厚みを増すことなく、電子部品で発生する熱を効果的に放熱することができるということである。その理由は、サイズの大きい金属製ヒートシンクやファンなどを取り付けるのではなく、基板内部に熱伝導性部材を層状に配設するという簡単な構造によって電子部品で発生した熱を分散させて操作手段や筐体全体で放熱することができるからである。
【００３０】
そして、このような放熱構造を採用することにより高性能の電子部品を使用することが可能となる。また、基板内部に熱伝導層を設けることにより、該熱伝導層によって基板の剛性を上げることができ、その結果、落下時やキー打鍵時などの外力からの基板の変形を抑制し電子部品の接続信頼性を向上させることができる。
【発明を実施するための最良の形態】
【００３１】
従来技術で説明したように、携帯端末機器の多機能化、高性能化に伴って電子部品の発熱量が増加しているが、携帯端末機器は小型化、軽量化、薄型化も求められているために、パソコンなどで用いられている金属製ヒートシンクやファンを使用することができず、その結果、電子部品で発生した熱によってキーなどの操作手段や筐体の温度が局所的に上昇し、キー操作時にユーザに不快感を与えるという問題があった。
【００３２】
この問題に対して、筐体による放熱効果を高めるために、筐体内面に熱伝導性部材を配設する構造（例えば、特開２００２−３２３９３６号公報）や筐体の内側に金属シャーシを設ける構造（例えば、特開平２−２６２７２４号公報）、筐体自体をマグネシウム合金などの熱伝導性のよい部材で形成する構造（例えば、特開２０００−２５３１１５号公報）などが提案されている。
【００３３】
しかしながら、携帯端末機器は薄くする必要があることから、電子部品が実装される基板にキーシートを介して数字キーや方向キーなどの操作手段が直接取り付けられており、その結果、電子部品で発生した熱が操作手段に直接伝達してしまう。従って、筐体の熱伝導性を高めたとしても操作手段の温度上昇を抑えることができず、キー操作時にユーザに不快感を与えるという問題を解決することができない。
【００３４】
そこで、本発明では、筐体内部に熱伝導性部材を配設したり、筐体自体を熱伝導性のよい部材で形成するのではなく、発熱する電子部品が実装される基板自体に熱伝導性部材を配設して電子部品で発生した熱を直ちに基板全体に拡散させる。このような構造を用いることによって、基板にキーシートを介して操作手段が直接取り付けられて構造においても操作手段やその近傍の筐体の局所的な温度上昇を抑制し、キー操作時にユーザに不快感を与えるという問題を解決している。
【実施例１】
【００３５】
上記した本発明の実施の形態についてさらに詳細に説明すべく、本発明の第１の実施例に係る携帯端末機器及び放熱方法について、図１乃至図１３を参照して説明する。図１は、第１の実施例に係る携帯端末機器の基本構成を示す図であり、図２は、携帯端末機器の機能を示すブロック図である。また、図３は、キー操作部の断面構造を模式的に示す図であり、図４は、熱の伝わり方を模式的に示す図である。また、図５、図６、図８及び図９は、キー操作部の断面構造のバリエーションを示す図であり、図７は、本実施例の基板に搭載される電子部品の構造を模式的に示す斜視図であり、図１０乃至図１２は、熱伝導層の形状のバリエーションを示す図である。また、図１３は、従来の携帯端末機器における熱の伝わり方を模式的に示す図である。なお、以下では携帯端末機器として携帯電話機を例にして説明するが、携帯端末機器は少なくとも操作手段と表示手段とを備えていればよく、例えば、ＰＤＡなどの携帯型コンピュータや薄型のデジタルカメラ、携帯型ゲーム機などの任意の携帯機器に対して同様に適用することができる。
【００３６】
図１及び図２に示すように、一般に携帯端末機器１（携帯電話機）は、待ち受け画面、各種機能の設定画面、ｗｅｂ画面等の表示を行う液晶表示素子やＥＬ発光素子などで形成された表示部３と、数字キーや方向キー、特殊機能キー等の複数のキーが配列されたキー操作部２と、電話の交信、メールの送受信、ｗｅｂ画面の受信等を行う無線通信部８及びアンテナ９と、音声の入出力や着信音の出力を行うスピーカ４及びマイク５と、各種設定値を記憶する内部記憶装置６と、これらを制御する制御部７とを備えている。そして、キー操作部２の内部には携帯端末機器１の各種機能を実現するための様々な電子部品が配置されている。
【００３７】
上記携帯端末機器１のキー操作部２の断面構造は、例えば、図３に示すようになり、キー操作部２側の上筐体１１と、上筐体１１に嵌合する下筐体１２と、上筐体１１及び下筐体１２の内部に配設され、各々の筐体の突起部１１ａ及び１２ａによって保持される基板１３と、基板１３のキー操作部２側に配設されたキーシート１５と、キーシート１５上に配設された数字キーや方向キー、特殊機能キー等のキー１６と、基板１３のキー操作部２と反対側の面に配設された１以上の電子部品１４とで構成され、基板１３の内部には、少なくとも基板１３の主構成材料（配線材料などを除く基材を構成する材料）よりも熱伝導率の大きい部材（以下、熱伝導性部材と呼ぶ。）が基板１３の面方向に配設された１以上の層状の熱伝導層１７が設けられている。
【００３８】
なお、この熱伝導性部材の種類や厚さなどは特に限定されず、銅やアルミニウムなどの金属材料を用いて形成してもよいし、炭素などの電気絶縁性の高い材料を用いて形成してもよく、また、これらの材料の薄膜としてもよいし、これらの材料を樹脂などに分散された薄板としてもよい。また、基板１３の製造方法も特に限定されず、一般的な積層基板の製造方法を利用してもよいし、例えば、予め配線パターンが形成された基材を２枚形成しておき、一方の基材の表面に熱伝導層１７を形成し、その上に他方の基材を接着剤などを用いて貼り合わせる等の方法で製造することもできる。また、図では、熱伝導層１７を基板１３の厚さ方向の略中央に形成しているが、熱伝導層１７は基板１３の内部に形成されていればよく、電子部品１４の実装面に近い位置に形成されていてもよいし、キー操作面に近い位置に形成されていてもよい。
【００３９】
また、図では、基板１３上に２つの電子部品１４を実装しているが、電子部品１４の数やサイズ、配置などは限定されず、その中に少なくとも１つの発熱する電子部品１４（駆動することによって少なくとも環境温度よりも高い温度となる発熱性の部品、例えば、パワーアンプや充電ＩＣなど）が含まれていればよい。また、各々の電子部品１４の構成も限定されず、トランジスタやトランスなどの個別の機能を実現する部品としてもよいし、個別の機能を実現する部品を複数含む増幅器や電圧変換器などの集合体としてもよい。また、図では一方の面のみに電子部品１４を実装しているが、他方の面（キー操作面）にスペースがある場合にはキー操作面側にも電子部品１４を実装してもよい。
【００４０】
次に、基板１３上に実装された電子部品１４で発生した熱の伝わり方について、図面を参照して説明する。
【００４１】
まず、基板１３内に熱伝導層が形成されていない従来の携帯端末機器では、図１３に示すように、基板１３の一方の面に実装された電子部品１４の内のいずれかで熱が発生すると（図では発熱部１９を黒く表示している。）、発生した熱は空気層１８には伝わりにくく物が接触している方向に伝わりやすいため、電子部品１４から基板１３に伝達され、基板１３内部で等方的に拡散する。ここで基板１３の厚さは面方向の寸法に比べて十分に小さいために基板１３に流入した熱は速やかに基板１３の反対面に伝達され、基板１３の反対面に接続されているキーシート１５を介して各々のキー１６に伝達する。そのため、発熱している電子部品１４に近い位置に配置されているキー１６やその近傍の上筐体１１のみが高温になる傾向がある。
【００４２】
ここで、キー１６は押圧操作ができるように筐体（ここでは上筐体１１）とは分離して形成されており、また、キーシート１５もキー１６以外から押圧されないように筐体と分離して配置されているため、従来例に示すように筐体の内面に熱伝導性部材や金属シャーシを設けたり筐体自体を熱伝導性部材で形成したとしても、キー１６に直接伝達した熱を効果的に放熱することはできず、キー１６や筐体の局部的な温度上昇を抑制することはできない。
【００４３】
これに対して、本実施例の携帯端末機器１では、図４に示すように、基板１３の一方の面に実装された電子部品１４で発生した熱は同様に基板１３に伝達されるが、基板１３の内部には熱伝導性に優れた熱伝導層１７が基板１３の面方向に層状に配設されているため、基板１３に伝達した熱はこの熱伝導層１７を介して基板１３の面方向に速やかに拡散する。そして、熱伝導層１７全体に拡散した熱は基板１３の反対側の面全体に伝達され、キーシート１５を介して全てのキー１６に伝達される共に、基板１３を保持、固定する突起部１１ａ及び１２ａを介して上筐体１１及び下筐体１２にも伝達される。これにより、電子部品１４が発熱したとしても該電子部品１４近傍のキー１６や上筐体１１のみが高温になるという不具合を防止することができる。
【００４４】
なお、図３及び図４では、基板１３の内部に熱伝導層１７のみを設けたが、熱伝導層１７に伝達した熱をキーシート１５やキー１６に伝わりにくくする構造を設けることもできる。例えば、図５に示すように、基板１３内の熱伝導層１７よりもキー操作面側に任意の厚さの熱伝導抑制層２２を設け、その熱伝導抑制層２２によって熱伝導層１７に伝導した熱をキーシート１５やキー１６以外の部分（例えば、突起部１１ａ及び１２ａを介して上筐体１１及び下筐体１２）に逃がすことにより、キー１６の温度上昇を抑制することができる。この熱伝導抑制層２２は、例えば、少なくとも基板１３の主構成材料よりも熱伝導率の小さい部材を用いて形成してもよいし、基板１３に微細な空孔を設けて基板１３に熱伝導率の小さい領域を形成して熱伝導抑制層２２として機能させてもよい。
【００４５】
また、図３及び図４では、基板１３の内部に層状の熱伝導層１７のみを設けたが、電子部品１４で発生した熱を速やかに熱伝導層１７に伝達することができるような構造を設けることもできる。例えば、図６に示すように、基板１３の発熱する電子部品１４が実装される部分に熱伝導層１７に接続される１以上の接続部１７ａを形成し、その接続部１７ａに接触するように電子部品１４を実装する（例えば、接続部１７ａを基板１３から突出するように形成し、電子部品１４の実装時に突出部が潰れるように実装する）ことによって熱伝導層１７と電子部品１４の裏面とを熱的に接続し、電子部品１４で発生した熱を速やかに熱伝導層１７に伝達させることができる。この接続部１７ａを形成する方法は特に限定されないが、例えば、基板１３の電子部品１４が実装される部分に実装面側から熱伝導層１７に達する１以上の孔を形成し、その孔の内部に熱伝導性部材（熱伝導層１７と同じ部材としてもよいし、異なる部材としてもよい。）を埋設してもよいし、キー操作面側から基板１３を貫通する１以上の貫通孔を形成し、その貫通孔の内部に上記熱伝導性部材を埋設してもよい。
【００４６】
また、このような接続部１７ａを形成する場合において電子部品１４から接続部１７ａに速やかに熱が伝導するように、図７（ａ）に示すように、電子部品１４の基板実装面側に金属板２３などの熱伝導性のよい部材を予め設けておき、この金属板２３と接続部１７ａとを接触させるようにしてもよい。また、電子部品１４がＢＧＡ（Ball Grid Array）によって基板１３に接続される場合は、図７（ｂ）に示すように、ＢＧＡ２４を構成する半田ボールの中に電子部品１４の電気接続に寄与しない１以上の接続用半田ボール２４ａ（接続用半田ボール２４ａの位置は図の構成に限定されない。）を設けておき、この接続用半田ボール２４ａに対向する位置に熱伝導層１７に達する孔を形成し、電子部品１４の実装時に接続用半田ボール２４ａを溶かして孔の内部を半田で埋設して熱伝導層１７に接触させるようにしてもよいし、電子部品１４がピンによって基板１３に接続される場合は、図７（ｃ）に示すように、ピン２５の中に電子部品１４の電気接続に寄与しない１以上の接続用ピン２５ａ（接続用ピン２５ａの位置は図の構成に限定されない。）を設けておき、この接続用ピン２５ａに対向する位置に熱伝導層１７に達する孔を形成し、電子部品１４の実装時に接続用ピン２５ａを熱伝導層１７に接触させるようにしてもよい。
【００４７】
なお、上記接続用半田ボール２４ａや接続用ピン２５ａは、電子部品１４の筐体に接続されていてもよいし、電子部品１４内部の構成部材（例えば、電子部品１４を構成する個々の部品や内部の回路基板など）に接続されていてもよく、接続用半田ボール２４ａや接続用ピン２５ａを電子部品１４内部の発熱体に直接熱的に接触させることにより、発生した熱を電子部品１４内部に蓄熱させずに速やかに外部に伝導させることができ、電子部品１４自体の温度上昇を抑えることができるため、電子部品１４の性能を向上させることもできる。
【００４８】
また、図３乃至図６では、基板１３の内部に熱伝導層１７を１層設けているが、本発明では基板１３の面方向への熱伝導を促進できるように熱伝導層１７が形成されていればよく、例えば、図８に示すように、基板１３の内部に複数層（図では２層）の熱伝導層１７を設けてもよく、また、それらの複数の熱伝導層１７を上記と同様に１以上の接続部１７ａによって熱的に接続する構成としてもよい。
【００４９】
また、図３乃至図６及び図８では、上筐体１１の突起部１１ａ及び下筐体１２の突起部１２ａによって基板１３が固定される構造としたが、熱伝導層１７に伝達された熱を上筐体１１及び下筐体１２に速やかに伝達することができるような構造を設けることもできる。例えば、図９に示すように、突起部１１ａ及び１２ａに対応する部分の熱伝導層１７の一部又は全部を露出させておき、熱伝導層１７と突起部１１ａ及び１２ａの少なくとも一部とを熱的に接続し、熱伝導層１７に伝達された熱を上筐体１１及び下筐体１２に速やかに伝達させる構造とすることもできる。
【００５０】
また、図３乃至図６及び図８、図９の構造において、熱伝導層１７は基板１３の全面に形成してもよいが、熱伝導層１７は基板１３の面方向に広がりを有する構造であればよく、電子部品１４で発生した熱を速やかに基板１３の面方向に伝達できる限りにおいて、必ずしも基板１３の全面に形成されている必要はなく、例えば、図１０に示すように、熱伝導層１７を格子状やスリット（これらは規則的な形状としてもよいし、幅やピッチが異なる不規則な形状としてもよい。）などにしてもよい。
【００５１】
また、熱伝導層１７を炭素などの絶縁性のよい材料を用いて形成した場合は、熱伝導層１７と基板１３の表裏面を接続するための接続配線などとがショートすることはないが、熱伝導層１７を銅やアルミニウムなどの金属部材を用いて形成した場合は、熱伝導層１７と接続配線とがショートする恐れがある。そのような場合には、図１１に示すように、基板１３の法線方向から見て、接続配線２１を除く基板１３の全面又は一部に熱伝導層１７を形成することもできる。
【００５２】
また、熱伝導層１７を基板１３の全面に配設した場合、一部の電子部品１４で発生した熱は他の電子部品１４にも伝わって他の電子部品１４の温度も上昇させてしまうが、電子部品１４の中には温度の影響を受けにくいもの（すなわち、温度が上昇しても正常に動作する又は特性が変化しない耐熱性の部品）と温度の影響を受けやすいもの（すなわち、温度が上昇すると正常に動作しない又は特性が劣化する非耐熱性の部品）とがあり、これらの電子部品１４が混在している場合に、一部の電子部品１４で発生した熱によって非耐熱性の部品の温度が上昇するのは好ましくない。そこで、非耐熱性の部品が混在している場合には、図１２に示すように、基板１３の法線方向から見て、非耐熱性の部品１４ｂを除く基板１３の全面又は一部に熱伝導層１７を形成し、非耐熱性の部品１４ｂ近傍の温度を上昇させないようにすることもできる。
【００５３】
このように、基板１３の内部に１以上の熱伝導層１７を層状に配設することにより、電子部品１４で発生した熱を基板１３の面方向に速やかに伝達させることができ、これにより、発熱する電子部品１４近傍のキー１６や筐体の温度が局所的に上昇するという問題を回避することができ、効率的に熱を外部に放出することができる。また、局所的な温度上昇を抑制することができるため、電子部品１４の選択の自由度が増し、高性能の電子部品１４を使用することも可能となる。更に、基板１３を積層構造にすることによって基板１３の剛性を高め、携帯端末機器１の信頼性を高めることもできる。
【実施例２】
【００５４】
次に、本発明の第２の実施例に係る携帯端末機器及び放熱方法について、図１４及び図１５を参照して説明する。図１４及び図１５は、第２の実施例に係る携帯端末機器内部の基板の構造を模式的に示す断面図である。なお、本実施例でも携帯端末機器として携帯電話機を例にして説明するが、携帯端末機器は少なくとも操作手段と表示手段とを備えたものであればよい。
【００５５】
前記した第１の実施例では、電子部品１４で発生した熱を該電子部品１４が実装される基板１３を保持する筐体（上筐体１１及び下筐体１２）やキーシート１５及びキー１６全体に伝達して放熱させる構成としたが、更に放熱効率を高めるために、電子部品１４で発生した熱を携帯端末機器１を構成する他の部品に伝導させる構成とすることもできる。
【００５６】
例えば、近年の携帯端末機器１はメモリーカードなどの記録媒体を装填するためのスロットなどを備えており、このスロットは多少温度が上昇しても動作上問題は生じない。そこで、例えば、図１４に示すように、第１の実施例で示した基板１３に、スロット２６などが配置される第２の基板１３ａが固定されている構造において、第２の基板１３ａの内部又は表面にも１以上の熱伝導層１７（基板１３の熱伝導層１７と同じであっても異なっていてもよい。）を設け、基板１３の熱伝導層１７と第２の基板１３ａの熱伝導層１７とを熱的接続手段（第２の基板１３ａを固定する支柱を兼ねる接続部１７ａや金属ワイヤーなど）によって熱的に接続させる。
【００５７】
このような構造にすることによって、電子部品１４で発生した熱は、基板１３内部の熱伝導層１７から接続部１７ａを介して第２の基板１３ａの熱伝導層１７に伝わり、スロット２６の温度を上昇させて放熱されるため放熱経路を増やすことができ、これにより、キー１６などの温度上昇が問題となる部品への熱の伝達を更に抑制することができる。
【００５８】
また、近年の携帯端末機器１は、小型化を実現するために折りたたみ可能な構造を採用しているものが多く、携帯電話機の場合は、図１に示すように、キー操作部２が配置される部分と表示部３が配置される部分の２つの部分で構成される。その場合に、キー１６などのユーザが直接触る部品は温度上昇が問題となるが、表示部３や表示部３を保持する筐体などのユーザが触らない部分は多少温度が上昇しても問題は生じない。そこで、例えば、図１５に示すように、第１の実施例で示した基板１３と表示部側基板１３ｂとがフレキシブル基板１３ｃなどの接続手段を介して接続されている構造において、表示部側基板１３ｂの内部にも１以上の熱伝導層１７（基板１３の熱伝導層１７と同じであっても異なっていてもよい。）を設け、基板１３と表示部側基板１３ｂとを熱的接続手段（フレキシブル基板１３ｃの内部又は表面に設けた熱伝導層１７や金属ワイヤーなど）によって熱的に接続させる。
【００５９】
このような構造にすることによって、基板１３に搭載された電子部品１４で発生した熱は、基板１３内部の熱伝導層１７からフレキシブル基板１３ｃを介して表示部側基板１３ｂの熱伝導層１７に伝わり、表示部側基板１３ｂを固定する筐体などの温度を上昇させて放熱されるため放熱経路を増やすことができ、これにより、キー１６などの温度上昇が問題となる部品への熱の伝達を更に抑制することができる。
【００６０】
なお、上記各実施例では基板１３の内部に熱伝導層１７を設けているが、基板１３自体を熱伝導性部材が分散された熱伝導性に優れた材料を用いて形成してもよい。また、上記実施例では、基板１３の一方の面にキーシート１５を介してキー１６が配置され、他方の面に電子部品１４が実装される構成としたが、これらが基板１３の同じ面に配置されている構成としてもよい。
【図面の簡単な説明】
【００６１】
【図１】携帯端末機器の構成を示す図である。
【図２】携帯端末機器の基本的な機能を示すブロック図である。
【図３】本発明の第１の実施例に係る携帯端末機器のキー操作部の構造を模式的に示す断面図である。
【図４】本発明の第１の実施例に係る携帯端末機器のキー操作部における熱の伝わり方を模式的に示す図である。
【図５】本発明の第１の実施例に係る携帯端末機器のキー操作部の他の構造を示す断面図である。
【図６】本発明の第１の実施例に係る携帯端末機器のキー操作部の他の構造を示す断面図である。
【図７】本発明の第１の実施例に係る携帯端末機器の基板に搭載される電子部品の構造を模式的に示す斜視図である。
【図８】本発明の第１の実施例に係る携帯端末機器のキー操作部の他の構造を示す断面図である。
【図９】本発明の第１の実施例に係る携帯端末機器のキー操作部の他の構造を示す断面図である。
【図１０】本発明の第１の実施例に係る熱伝導層の形状のバリエーションを示す平面図である。
【図１１】本発明の第１の実施例に係る熱伝導層の形状のバリエーションを示す平面図である。
【図１２】本発明の第１の実施例に係る熱伝導層の形状のバリエーションを示す平面図である。
【図１３】従来の携帯端末機器のキー操作部における熱の伝わり方を模式的に示す図である。
【図１４】本発明の第２の実施例に係る携帯端末機器の基板の構造を模式的に示す断面図である。
【図１５】本発明の第２の実施例に係る携帯端末機器の基板の構造を模式的に示す断面図である。
【符号の説明】
【００６２】
１  携帯端末機器
２  キー操作部
３  表示部
４  スピーカ
５  マイク
６  内部記憶装置
７  制御部
８  無線通信部
９  アンテナ
１１  上筐体
１１ａ  突起部
１２  下筐体
１２ａ  突起部
１３  基板
１３ａ  第２の基板
１３ｂ  表示部側基板
１３ｃ  フレキシブル基板
１４  電子部品
１４ａ  発熱性の部品
１４ｂ  非耐熱性の部品
１５  キーシート
１６  キー
１７  熱伝導層
１７ａ  接続部
１８  空気層
１９  発熱部
２０  熱伝導層除去領域
２１  接続配線
２２  熱伝導抑制層
２３  熱伝導板
２４  ＢＧＡ
２４ａ  接続用半田ボール
２５  ピン
２５ａ  接続用ピン
２６  スロット
【図１】
2006173290.tif 000003
【図２】
2006173290.tif 000004
【図３】
2006173290.tif 000005
【図４】
2006173290.tif 000006
【図５】
2006173290.tif 000007
【図６】
2006173290.tif 000008
【図７】
2006173290.tif 000009
【図８】
2006173290.tif 000010
【図９】
2006173290.tif 000011
【図１０】
2006173290.tif 000012
【図１１】
2006173290.tif 000013
【図１２】
2006173290.tif 000014
【図１３】
2006173290.tif 000015
【図１４】
2006173290.tif 000016
【図１５】
2006173290.tif 000017